(57)【要約】【課題】使用開始時に要する作業を簡略化することができるシュリンクラベル付き容器及びシュリンクラベルを提供する。【解決手段】容器本体２の口部外周面にキャップ３が回転可能に取り付けられ、少なくともキャップ３の周壁３２の下端縁３２ａを覆うようにしてシュリンクラベル１が装着されたシュリンクラベル付き容器であって、シュリンクラベル１には、キャップ３の周壁３２の下端縁３２ａに対して上側の位置と下側の位置にそれぞれ開封用の横切離線１１，１２が周設され、該シュリンクラベル１は、キャップ３の回転動作によって上側の横切離線１１又は下側の横切離線１２で上下に分割される。【選択図】図１
2013199278.tif 000002
【特許請求の範囲】
【請求項１】
容器本体の口部外周面にキャップが回転可能に取り付けられ、少なくともキャップの周壁の下端縁を覆うようにしてシュリンクラベルが装着されたシュリンクラベル付き容器であって、
シュリンクラベルには、キャップの周壁の下端縁に対して上側の位置と下側の位置にそれぞれ開封用の横切離線が周設され、
該シュリンクラベルは、キャップの回転動作によって上側の横切離線又は下側の横切離線で上下に分割されることを特徴とするシュリンクラベル付き容器。
【請求項２】
シュリンクラベルの下側部分は容器本体に留まり、シュリンクラベルの上側部分はキャップと共に容器本体から離れる請求項１記載のシュリンクラベル付き容器。
【請求項３】
上側の横切離線よりも下側の横切離線の方が切れやすい請求項１又は２記載のシュリンクラベル付き容器。
【請求項４】
上下の横切離線の間には、該上下の横切離線によってその間に区画形成された環状の帯状片を、開封後にキャップ側の上側部分から上側の横切離線で切離する際にその切離始端部となる分断線が形成されている請求項３記載のシュリンクラベル付き容器。
【請求項５】
分断線は、下側の横切離線を起点として上側の横切離線に向けて傾斜するように延びている請求項４記載のシュリンクラベル付き容器。
【請求項６】
分断線は、帯状片を斜めに横断している請求項５記載のシュリンクラベル付き容器。
【請求項７】
シュリンクラベルの上側部分が上側の横切離線よりも上側の位置においてキャップに接着されている請求項２乃至６の何れかに記載のシュリンクラベル付き容器。
【請求項８】
容器本体の口部外周面にキャップが回転可能に取り付けられた容器に、少なくともキャップの周壁の下端縁を覆うようにして装着されるシュリンクラベルであって、
キャップの周壁の下端縁に対して上側の位置と下側の位置にそれぞれ開封用の横切離線が周設され、
キャップの回転動作によって上側の横切離線又は下側の横切離線で上下に分割されることを特徴とするシュリンクラベル。
【発明の詳細な説明】
【技術分野】
【０００１】
本発明は、シュリンクラベルが装着されたシュリンクラベル付き容器とそれに用いられるシュリンクラベルに関する。
【背景技術】
【０００２】
従来、キャップ付きの容器において、そのキャップをシュリンクラベルからなるキャップシールで覆うことにより、使用前の店頭等においてキャップが容易に開封されないようにすること、いわゆるタンパーエビデント機能を持たせることが行われている。また、そのキャップシールの下端部を下方に延ばして容器本体の胴部の略全体を覆うようにした、フルシュリンクとも称されるシュリンクラベル付き容器も存在する（下記特許文献１、２参照）。
【０００３】
このようなキャップシール等のシュリンクラベルには開封のためのミシン目が形成されている。開封用のミシン目の形態は種々あるが、何れの場合も、ミシン目に沿ってシュリンクラベルの所定部分を他の部分から切離除去して開封する。そして、シュリンクラベルを開封した後にキャップを開栓することになる。このようにシュリンクラベルの開封作業とキャップを容器本体から分離する開栓作業とを別々の動作として行う必要があり、使用開始時に要する作業が煩雑であるという問題がある。
【先行技術文献】
【特許文献】
【０００４】
【特許文献１】実開昭６２−７６１４５号公報
【特許文献２】特開昭６４−９１５９号公報
【発明の概要】
【発明が解決しようとする課題】
【０００５】
それゆえに本発明は上記従来の問題点に鑑みてなされ、使用開始時に要する作業を簡略化することができるシュリンクラベル付き容器及びシュリンクラベルを提供することを課題とする。
【課題を解決するための手段】
【０００６】
本発明は、上記課題を解決すべくなされたものであって、本発明に係るシュリンクラベル付き容器は、容器本体の口部外周面にキャップが回転可能に取り付けられ、少なくともキャップの周壁の下端縁を覆うようにしてシュリンクラベルが装着されたシュリンクラベル付き容器であって、シュリンクラベルには、キャップの周壁の下端縁に対して上側の位置と下側の位置にそれぞれ開封用の横切離線が周設され、該シュリンクラベルは、キャップの回転動作によって上側の横切離線又は下側の横切離線で上下に分割されることを特徴とする。
【０００７】
該構成のシュリンクラベル付き容器を開封するにはキャップを回転させる。即ち、容器本体に対してキャップを回転させると、そのキャップと共にシュリンクラベルの上側部分も回転しようとしてそのシュリンクラベルの下側部分に対して捻られることになる。このようにキャップの回転動作に伴ってシュリンクラベルの上側部分が下側部分に対して捻られることにより、キャップの周壁の下端縁に対して上側に位置する上側の横切離線か、あるいは、キャップの周壁の下端縁に対して下側に位置する下側の横切離線が切断され、シュリンクラベルは上下に分断される。そしてそのまま引き続いてキャップを容器本体から離す。このようにシュリンクラベルの開封作業とキャップの開栓作業を一連の動作として行うことができる。
【０００８】
特に、シュリンクラベルの下側部分は容器本体に留まり、シュリンクラベルの上側部分はキャップと共に容器本体から離れることが好ましい。シュリンクラベルの下側部分が容器本体に留まることによってその下側部分を本体用ラベルとして使用することができる。また、シュリンクラベルの上側部分がキャップと共に容器本体から離れることで、その上側部分をキャップ用ラベルとして使用することができる。シュリンクラベルの上側部分をキャップ用ラベルとして使用すれば、キャップに直接印刷することなく、キャップ用ラベルによってキャップを加飾することができる。キャップに直接印刷する必要がなくなることで、汎用のキャップを使用することが可能となってコストダウンが図れる。また、本体用ラベルとキャップ用ラベルは元々は一つのシュリンクラベルであるため、キャップの装飾と容器本体の装飾を色合い等において容易且つ正確に合わせることができる。
【０００９】
また、上側の横切離線よりも下側の横切離線の方を切れやすく設定しておくことが好ましい。このように構成すれば、上述のようにキャップを回転させた際に下側の横切離線が切れることになる。上下の横切離線によってその間には環状の帯状片が区画形成されているが、該帯状片は、開封時にシュリンクラベルが下側の横切離線で分割されることにより、シュリンクラベルの上側部分の一部となってキャップと共に容器本体から離れることになる。帯状片を開封後もシュリンクラベルの上側部分にそのまま残しておくこともできるが、上側の横切離線に沿って帯状片をシュリンクラベルの上側部分から切離除去すると良好な美観のキャップ用ラベルが得られるため好ましい。帯状片がシュリンクラベルの上側部分に位置すると、その帯状片の下部がキャップの周壁の下端縁から所定量下方に突出することになる。従って、容器本体側に留まっているシュリンクラベルの下側部分に帯状片が位置する場合に比して、帯状片を上側の横切離線に沿って容易に切離除去することができる。
【００１０】
また、上下の横切離線の間には、該上下の横切離線によってその間に区画形成された環状の帯状片を、開封後にキャップ側の上側部分から上側の横切離線で切離する際にその切離始端部となる分断線が形成されていることが好ましい。上述のように開封後に帯状片を切離除去すると良好な美観が得られるため、帯状片を開封後に切除する際にその切離始端部となる分断線を上下の横切離線の間に形成しておくことが好ましいのであるが、開封後に帯状片を切除する際に、分断線が切離始端部となってその分断線の位置を始点として帯状片を上側の横切離線に沿って周方向に容易に切離除去することができる。
【００１１】
更に、分断線は、下側の横切離線を起点として上側の横切離線に向けて傾斜するように延びていることが好ましい。例えば、キャップが右ネジであって容器本体に螺着されている場合には、ネジを緩める方向である平面視反時計回りにキャップを回転させて開栓する。即ち、この場合のキャップの開栓方向は平面視反時計回りであり、開栓方向上流側は正面視において向かって左側となる。従って、この場合には、分断線は、切れやすい下側の横切離線を起点としてキャップの開栓方向上流側である左上方に向かって傾斜して延びるようにすることが好ましい。このように分断線が下側の横切離線から上側の横切離線に向かって傾斜して延びていると、キャップを開栓する際において下側の横切離線が切断すると共に分断線も下側の横切離線を起点として容易に切断する。分断線が開封時に切断されていると、分断線に面した帯状片の周方向の一端部を容易に指先で摘むことができるため、そこから帯状片を周方向に容易に切離除去することができる。尚、キャップが右ネジであっても、開栓動作の初期において一旦ネジを締め込む方向である平面視時計回りに所定角度回転させ、この回転によってキャップによる容器口部の密閉状態が解除され、その後、ネジを緩める方向である平面視反時計回りに回転させてキャップを容器本体から離間させるという開栓構造のものもある。このような開栓構造の場合には、開栓方向上流側は正面視において向かって右側となる。従って、この場合には、分断線は、切れやすい下側の横切離線を起点としてキャップの開栓方向上流側である右上方に向かって傾斜して延びるようにすることが好ましい。更にまた、キャップがネジ式ではなく容器本体に対して空転するように一定の高さに留まりつつ回転して、キャップを上側に引っ張ることで容器本体から外れる構成のものもある。この場合には平面視反時計回りに回転させても平面視時計回りに回転させてもよく、分断線の傾斜方向は左右何れの向きでもよいが、左側に傾斜した分断線と右側に傾斜した分断線を一対設けておくことが好ましい。
【００１２】
特に、分断線が帯状片を斜めに横断していることが好ましい。この場合には、開封時に下側の横切離線と分断線が切断して上側の横切離線まで達する。従って、開封後に帯状片を切除する際に上側の横切離線に沿って確実に切除することができる。
【００１３】
また、シュリンクラベルの上側部分が上側の横切離線よりも上側の位置においてキャップに接着されていることが好ましい。該構成とすれば、開封時に上側の横切離線あるいは下側の横切離線がスムーズに切断し、また、キャップを容器本体から離した開栓後においてもシュリンクラベルの上側部分が確実にキャップに保持されてキャップ用ラベルとして確実に使用することができる。
【００１４】
また、本発明に係るシュリンクラベルは、容器本体の口部外周面にキャップが回転可能に取り付けられた容器に、少なくともキャップの周壁の下端縁を覆うようにして装着されるシュリンクラベルであって、キャップの周壁の下端縁に対して上側の位置と下側の位置にそれぞれ開封用の横切離線が周設され、キャップの回転動作によって上側の横切離線又は下側の横切離線で上下に分割されることを特徴とする。
【発明の効果】
【００１５】
以上のように、本発明に係るシュリンクラベル付き容器にあっては、キャップを回転させることによってシュリンクラベルを開封できるので、使用開始時に要する作業が簡略化される。
【図面の簡単な説明】
【００１６】
【図１】本発明の一実施形態におけるシュリンクラベル付き容器を示す斜視図。
【図２】同シュリンクラベル付き容器におけるシュリンクラベルの要部を示す正面図であって、（ａ）は開封前の状態を示し、（ｂ）は開封直後の状態を示す。
【図３】同シュリンクラベル付き容器においてキャップを開栓したときの状態を示す斜視図。
【図４】同シュリンクラベル付き容器におけるキャップから帯状片を除去した状態を示す斜視図。
【図５】本発明の他の実施形態におけるシュリンクラベル付き容器に使用される偏平状態のシュリンクラベルを示し、（ａ）は重ね合わせ部とは反対側から見た図であり、（ｂ）は重ね合わせ部側から見た図である。
【図６】（ａ）及び（ｂ）は本発明の他の実施形態におけるシュリンクラベル付き容器に使用されるシュリンクベルの要部を示す正面図。
【図７】（ａ）及び（ｂ）は本発明の他の実施形態におけるシュリンクラベル付き容器に使用されるシュリンクベルの要部を示す正面図。
【図８】（ａ）及び（ｂ）は本発明の他の実施形態におけるシュリンクラベル付き容器に使用されるシュリンクベルの要部を示す正面図。
【発明を実施するための形態】
【００１７】
以下、本発明の一実施形態に係るシュリンクラベル付き容器について図１〜図４を参酌しつつ説明する。図１に示すシュリンクラベル付き容器は、上方に開口する有底筒状の容器本体２と、該容器本体２の開口を密閉すべくその口部外周面に螺着されたキャップ３とを備えたキャップ付きの容器に、シュリンクラベル１が装着されたものである。
【００１８】
キャップ付きの容器は、合成樹脂製のものやボトル缶とも称される金属製のもの等、種々の形態があるが、本実施形態では容器本体２とキャップ３が何れも合成樹脂製のものである。容器本体２は、底部２０と胴部２１と口部２２とを備えており、図３にも示しているように、口部２２は胴部２１よりも小径であってその外周面には雄ネジ部２３が形成されている。
【００１９】
キャップ３は円形の天板３１と該天板３１の周縁から垂直下方に垂下する筒状の周壁３２とから構成された上端閉塞下端開口の構造であり、周壁３２の内周面に容器本体２の雄ネジ部２３と螺合する図示しない雌ネジ部が形成されている。尚、キャップ３は通常の右ネジタイプであり、平面視において反時計回りに回転させると緩み、逆の時計回りに回転させると締まる。つまり、キャップ３の開栓方向は平面視において反時計回りであって、その上流側は正面視において左側である。図１乃至図４において紙面の向かって左側が開栓方向上流側であり、向かって右側が開栓方向下流側である。図１及び図２には開栓方向を矢印Ｘで示している。
【００２０】
図１に示すように筒状のシュリンクラベル１はキャップ付きの容器をその略全高に亘って覆った、いわゆるフルシュリンクの構造である。即ち、シュリンクラベル１はキャップ３の周壁３２の全体を覆うと共にその上端部１ａはキャップ３の天板３１の上側に回り込んで天板３１の周縁部を覆っている。また、図１においてキャップ３の周壁３２の下端縁３２ａが破線で示されているが、該周壁３２の下端縁３２ａをシュリンクラベル１が覆うと共にそこからシュリンクラベル１は更に下方の容器本体２側に延びていて容器本体２の胴部２１の全体を覆っている。
【００２１】
かかるシュリンクラベル１の所定位置には開封用の横切離線１１，１２が上下一対形成されている。上下の横切離線１１，１２は互いに平行であって、上側の横切離線１１はキャップ３の周壁３２の下端縁３２ａよりも上側に位置し、下側の横切離線１２はキャップ３の周壁３２の下端縁３２ａよりも下側に位置している。従って、上下の横切離線１１，１２の間にキャップ３の周壁３２の下端縁３２ａが位置することになる。また、上下の横切離線１１，１２は周方向に沿って全周に亘って形成されており、従って、キャップ３の周壁３２の下端縁３２ａ近傍には、上下の横切離線１１，１２によって環状の帯状片１６が区画形成される。即ち、シュリンクラベル１は、環状の帯状片１６と、上側の横切離線１１よりも上側の領域である上側ラベル部１５と、下側の横切離線１２よりも下側の領域である下側ラベル部１７の三つの領域に区画される。上下の横切離線１１，１２間の離間寸法即ち帯状片１６の幅（上下方向の寸法）は、帯状片１６がキャップ３の周壁３２の下端縁３２ａを覆うことができる程度の寸法であればよいが、例えば数十ｍｍ程度、一例としては１５ｍｍ〜３０ｍｍ程度である。
【００２２】
上下の横切離線１１，１２はキャップ３を開ける方向に回転させることによって切断されるように構成されていて何れもミシン目として構成されているが、上側の横切離線１１よりも下側の横切離線１２の方が切断されやすく形成されている。下側の横切離線１２を相対的に切断されやすくするための手法は種々あるが、例えばミシン目における切断部の長さと未切断部の長さの比率によって調整可能である。即ち、下側の横切離線１２においては切断部の長さの割合を相対的に大きくし、上側の横切離線１１においては切断部の長さの割合を相対的に小さくする。その一例としては、下側の横切離線１２では切断部の長さと未切断部の長さの比率を２：１とし、上側の横切離線１１ではその比率を１：１とすることができる。換言すれば、下側の横切離線１２における未切断部の長さに対する切断部の長さの割合を、上側の横切離線１１におけるその割合よりも大きくすることによって、下側の横切離線１２が相対的に切断されやすいように設定できる。
【００２３】
また、上下の横切離線１１，１２を周方向の所定位置で上下に橋渡しして繋ぐように分断線１８が一箇所形成されている。該分断線１８は図２（ａ）に示すように所定角度で傾斜していて帯状片１６を斜めに横断しており、正面視において下側の横切離線１２から上側の横切離線１１に向かって、開栓方向の上流側である左側に傾斜しつつ延びている。分断線１８の下側の横切離線１２に対する傾斜角度αは、６０度以下が好ましく、特に２０〜３０度程度が好ましい。かかる分断線１８は、その全長がミシン目から構成されてもよいが、本実施形態では下側の横切離線１２から所定長さ延びる切り込み部１８ａと、残る大部分を占めるミシン目部１８ｂとから構成されている。尚、分断線１８のミシン目部１８ｂにおける切断部と未切断部の比率は例えば１：１とする。ミシン目部１８ｂにおける切断部の長さは、上側の横切離線１１における切断部の長さよりも長いことが好ましい。これによりキャップ３を回転させた際に、下側の横切離線１２と共に分断線１８も切断されやすくなる。このような分断線１８を形成する箇所は周方向の任意の箇所でよいが、分断線１８を一箇所形成する場合には重ね合わせ部１０以外の箇所に形成する。この分断線１８は、例えば筒状にする前の長尺状のシュリンクフィルムの段階においてレーザー等により形成することができる。
【００２４】
尚、シュリンクラベル１は、上側の横切離線１１よりも上側の位置において接着剤によりキャップ３に接着されている。即ち、シュリンクラベル１の上側ラベル部１５がキャップ３に接着されており、具体的にはキャップ３の周壁３２に周方向に間隔をおいて複数箇所で接着されたり、周壁３２に全周に亘って連続して接着されたりしている。接着剤の塗布はキャップ３側に行ってもよいが、好ましくはシュリンクラベル１の内面に塗布しておくことが好ましい。シュリンクラベル１の内面に接着剤を塗布しておく場合には、例えばシュリンクさせる際の熱によって活性化して粘着力を発揮し、冷却後一定期間その粘着力が持続するディレード型の接着剤を、筒状にする前の長尺状のシュリンクフィルムの段階においてグラビア印刷等によって塗工しておく。
【００２５】
尚、シュリンクフィルムのフィルム基材としてはポリエステル系樹脂やポリスチレン系樹脂等の種々の公知のものが使用できるが、特にＰＥＴフィルムが好ましい。フィルム基材の周方向の熱収縮率は、８０℃の温水中に１０秒間浸漬した際において約３０％以上、特に約４０％以上が好ましい。
【００２６】
以上のように構成されたシュリンクラベル付き容器は、シュリンクラベル１がキャップ３の周壁３２の全体を覆うと共に該周壁３２の下端縁３２ａよりも下方に延びて容器本体２の胴部２１を覆っていることにより、店頭等で悪戯等でキャップ３が開栓されるということが防止されてタンパーエビデント機能が発揮されることとなる。
【００２７】
そして、開封するには、シュリンクラベル１の上からキャップ３を把持してそのままキャップ３を開けるように回転させる。このキャップ３の回転動作（開栓動作）によって、シュリンクラベル１の上側部分は下側部分に対して平面視において反時計回りに捻られることになる。この捻れによって図２（ｂ）のように下側の横切離線１２が切断されると同時に分断線１８も切断されて、分断線１８の上端から左側に続けて上側の横切離線１１の所定領域も切断される。図２（ｂ）において実線で示している部分が開封によって切断した箇所であり、上側の横切離線１１のうち切断された領域を符号１１ａで示している。この開封においては、上側の横切離線１１よりも下側の横切離線１２の方が相対的に切断されやすくなっているので、下側の横切離線１２は全周に亘って完全に切断される。その一方、上側の横切離線１１は分断線１８から続く所定領域のみ切断される。また、分断線１８が下側の横切離線１２から上側の横切離線１１に向けて左上方に傾斜して延びているので、下側の横切離線１２から続けて分断線１８も切断される。特に、下側の横切離線１２から続く切り込み部１８ａを分断線１８に設けているので、下側の横切離線１２から分断線１８へと連続して切断されることになる。更に、分断線１８が上側の横切離線１１まで達しているので、そのまま上側の横切離線１１の一部まで切断される。また、キャップ３の周壁３２にシュリンクラベル１の上側ラベル部１５が接着されているので、キャップ３を回転させた際にシュリンクラベル１の上側ラベル部１５もそれに確実に追従し、下側の横切離線１２及び分断線１８に確実に破断力が作用してスムーズに切断される。
【００２８】
このようにキャップ３を開ける方向に回転させることで同時にシュリンクラベル１を開封することができるので、使用開始時の作業が極めて簡易である。そして、下側の横切離線１２が切断されることでシュリンクラベル１は上下に分割され、図３に示すように、シュリンクラベル１の上側部分はキャップ３と共に容器本体２から分離し、シュリンクラベル１の下側部分は容器本体２にそのまま残留することになる。容器本体２に残ったシュリンクラベル１の下側部分は下側ラベル部１７であってそのまま本体用ラベルとなる。その一方、キャップ３側に保持されたシュリンクラベル１の上側部分は上側ラベル部１５と帯状片１６とからなり、帯状片１６の下部はキャップ３の周壁３２の下端縁３２ａから所定量下方に突出した状態にある。帯状片１６はそのままの状態としておくことも可能であるが、帯状片１６を切除することにより良好な美観が得られる。それには上側の横切離線１１を利用して帯状片１６を上側ラベル部１５から周方向に切離する。また、上述した開封時において分断線１８が既に切断されているため、開封前には環状で周方向に連続していた帯状片１６は開封後においては分断線１８において左右に分断された状態にある。従って、帯状片１６の周方向の一端部１６ａを指先で容易に摘んで引っ張ることができ、帯状片１６をその周方向の一端部１６ａから他端部１６ｂへと上側の横切離線１１に沿って容易に切離することができる。特に、分断線１８が上側の横切離線１１まで達しているので、帯状片１６はその位置で左右に完全に分かれており、しかも、分断線１８に連続して上側の横切離線１１の一部も開封時に切断されているので、帯状片１６の周方向の一端部１６ａの摘み代が大きく、それを容易に摘んで切離作業を行うことができると共に、帯状片１６を上側の横切離線１１に沿って綺麗に切離することができる。特にフィルム基材がＰＥＴフィルムである場合には帯状片１６が周方向に引き裂けやすいので、分断線１８が帯状片１６を横断して上側の横切離線１１まで達していることが好ましい。
【００２９】
図４にシュリンクラベル１の上側部分から帯状片１６を全周に亘って切離した状態を示している。このように帯状片１６を切除することにより、キャップ３にはシュリンクラベル１の上側ラベル部１５だけが残り、この上側ラベル部１５がそのままキャップ用ラベルとなる。上側ラベル部１５をキャップ用ラベルとして使用することができるので、キャップ３に直接印刷して加飾する必要がなく、内容物の種類等に関わらず汎用のキャップ３を使用することができ、コストダウンが図れる。また、キャップ用ラベルと本体用ラベルは、開封前においては一つのシュリンクラベル１であるので、デザインや色合い等の統一性も容易に得られる。更に、上側ラベル部１５はキャップ３に接着されているので、使用中にキャップ３から上側ラベル部１５が上方に抜けて外れるということもない。
【００３０】
尚、本実施形態では分断線１８を一箇所形成したが、複数箇所に形成してもよい。分断線１８を複数箇所に形成する場合には、図５のように扁平状態のシュリンクラベル１に厚み方向に刃物で型押しすることによって一方の面に一箇所、他方の面にそれに対向して一箇所形成することができる。尚、図５には、キャップ３の周壁３２の下端縁３２ａに対応した位置を二点鎖線にて示している。この二箇所の分断線１８，１９は、刃物の押圧によって一度に形成することから表裏対称形状となっており、図５（ａ）に示した一方の分断線１８は図２に示したものと同様のものであり、図５（ｂ）に示した他方の分断線１９はそれとは裏表の関係にあるため傾斜方向が左右逆向きとなっている。このように刃物の押圧によって分断線１８，１９を表裏対称に形成する場合には、他方の分断線１９が図５（ｂ）のように重ね合わせ部１０に形成されるようにする。具体的には、他方の分断線１９が重ね合わせ部１０を左右に跨ぐようにすることが好ましい。他方の分断線１９は右ネジのキャップ３に対しては傾斜方向が逆となっているため開封時に切断されにくいが、更に、フィルムが二重となっている重ね合わせ部１０を他方の分断線１９が左右に跨ぐようにすればより一層他方の分断線１９が切断されにくくなる。従って、他方の分断線１９の少なくとも一部が重ね合わせ部１０に形成されるように形成箇所を設定することが好ましい。但し、他方の分断線１９は、平面視時計回りに回転させるキャップに対しては十分に機能を果たすので、右ネジのキャップ３のみならず平面視時計回りに回転させるキャップにも適用できるようにして汎用性を高めたい場合には、他方の分断線１９を重ね合わせ部１０以外の箇所に形成してもよい。
【００３１】
また、分断線１８の形状についても種々の変更が可能であって、図２のように直線状に傾斜しているものの他、例えば図６（ａ）や図６（ｂ）のように湾曲しながら傾斜している形状であってもよい。
【００３２】
更に、分断線１８が下側の横切離線１２から上側の横切離線１１まで連続して形成していない形態であってもよい。例えば図７（ａ）のように分断線１８が上側の横切離線１１まで到達せずに途中で止まっている形態であってもよく、また、図７（ｂ）のように中途部において分断線１８が一部途切れて形成されていない領域を設けるようにしてもよい。図７（ａ）及び図７（ｂ）の何れの場合であっても、開封時に分断線１８が切断されることで帯状片１６は少なくとも下側の横切離線１２から上方に途中の位置まで切断されることになる。従って、開封後に分断線１８の箇所を切離開始部とすることができ、帯状片１６の周方向の一端部１６ａを摘んで容易に帯状片１６を切除できる。
【００３３】
また更に、図８（ａ）のように分断線１８を傾斜させずにシュリンクラベル１の軸線方向即ち上下方向に形成してもよい。この場合には分断線１８が傾斜している場合に比して開封時に切断されにくくなるが、開封後において別途分断線１８を手で切断すれば帯状片１６を左右に分断できる。即ち、この場合も分断線１８の箇所を切離開始部とすることができ、帯状片１６の周方向の一端部１６ａを摘んで帯状片１６を周方向に沿って切離することができる。尚、このように分断線１８を上下方向に形成する場合においても図７に示した傾斜したものと同様に上下方向に連続して形成していない形態であってもよい。例えば、下側の横切離線１２から上側に向けて所定長さの切り込みのみを形成したり、あるいは、上側の横切離線１１まで達しない範囲でミシン目と切り込みを形成したりすることができる。
【００３４】
尚、右ネジのキャップ３であっても、開栓動作の初期において一旦ネジを締め込む方向である平面視時計回りに所定角度回転させ、この回転によってキャップ３による口部２２の密閉状態が解除され、その後、ネジを緩める方向である平面視反時計回りにキャップ３を回転させて容器本体２から離間させるという開栓構造においては、図８（ｂ）の符号Ｘが開栓方向となり、その開栓方向の上流側は正面視において向かって右側となるので、分断線１８を逆向きに傾斜させる、即ち、図５（ｂ）と同様に下側の横切離線１２から右斜め上方に向けて傾斜させることが好ましい。
【００３５】
尚、上記実施形態では、下側の横切離線１２の方を上側の横切離線１１よりも切れやすく形成していたが、上下の横切離線１１，１２を同じ程度の切れやすさに形成してもよく、逆に、上側の横切離線１１の方を切れやすく形成してもよい。上側の横切離線１１の方を切れやすくした場合には、開封時に上側の横切離線１１でシュリンクラベル１が上下に分割されることになり、キャップ３と共に容器本体２から離間するシュリンクラベル１の上側部分は上側ラベル部１５のみとなる一方、容器本体２に残るシュリンクラベル１の下側部分は下側ラベル部１７と帯状片１６からなる。従って、開封後にシュリンクラベル１の下側部分から帯状片１６を切離除去することが好ましい。但し、容器本体２よりもキャップ３の方が小型軽量であって把持しやすいため、下側部分よりも上側部分の方が帯状片１６を切離除去しやすい。従って、キャップ３側に帯状片１６が残るように下側の横切離線１２側を切れやすくしておくことが好ましい。
【００３６】
また、帯状片１６に種々の分断線１８を設ける構成について説明したが、分断線１８を省略することできる。分断線１８を設けない場合には帯状片１６は開封後においても環状のままであるが、キャップ３側であれば上側の横切離線１１に沿って切離除去でき、容器本体２側であれば下側の横切離線１２に沿って切離除去することができる。
【００３７】
尚、キャップ３の周壁３２にシュリンクラベル１の上側ラベル部１５を接着していたが、キャップ３の天板３１に接着してもよく、接着しなくても構わない。また、容器本体２に下側ラベル部１７を接着してもよい。
【００３８】
また、上記実施形態では容器本体２の胴部２１の下端までシュリンクラベル１で覆われた、いわゆるフルシュリンクの構成であったが、これに限定されるものではなく、容器本体２の胴部２１のうち上側所定領域のみが覆われる構成であってもよい。少なくともキャップ３の周壁３２の下端縁３２ａをシュリンクラベル１が覆う構成であればよい。
【００３９】
更に、開封後に上側ラベル部１５と下側ラベル部１７がそれぞれキャップ３と容器本体２に残留してキャップ用ラベルと本体用ラベルになる場合について説明したが、何れか一方のみが残留する構成であってもよく、双方共に残留せずに開封と共に除去されるものであってもよい。何れにしても、少なくともキャップ３の周壁３２の下端縁３２ａをシュリンクラベル１が覆う構成として、上下の横切離線１１，１２の一方あるいは双方がキャップ３の回転動作によって切断されてシュリンクラベル１が上下に分割される構成とすれば、使用開始時の作業が簡略化されることとなる。
【符号の説明】
【００４０】
１    シュリンクラベル
１ａ  上端部
２    容器本体
３    キャップ
１０    重ね合わせ部
１１    上側の横切離線
１１ａ  切断された領域
１２    下側の横切離線
１５    上側ラベル部
１６    帯状片
１６ａ  一端部
１６ｂ  他端部
１７    下側ラベル部
１８    分断線
１８ａ  切り込み部
１８ｂ  ミシン目部
１９    分断線
２０    底部
２１    胴部
２２    口部
２３    雄ネジ部
３１    天板
３２    周壁
３２ａ  下端縁
【図１】
2013199278.tif 000003
【図２】
2013199278.tif 000004
【図３】
2013199278.tif 000005
【図４】
2013199278.tif 000006
【図５】
2013199278.tif 000007
【図６】
2013199278.tif 000008
【図７】
2013199278.tif 000009
【図８】
2013199278.tif 000010